(57)【要約】【課題】操作負担を増大させることなく、入力操作の対象とする入力装置について、端末の姿勢方向が何れであっても同一の操作性を提供する。【解決手段】携帯電話機は、入力デバイスとタッチパッド７が設けられた第１のシェルと第２のシェル２とをヒンジ機構により接続して構成され、入力デバイスとタッチパッド７が露出されて操作可能な開状態と、第１のシェルと第２のシェルとを重ね合わせてタッチパッド７のみが露出されて操作可能な閉状態とに選択的に設定可能とする。制御ユニット２３は、開閉検知センサ１０ｂからの信号をもとに開状態と閉状態の何れの状態にあるかを検知する。姿勢判定ユニット２３ａは、重力センサ１０ａからの信号により第１のシェル１の姿勢を検知する。タブレット制御ユニット２３ｅは、閉状態であることが検知されている場合に、第１のシェルの姿勢に応じて、タッチパッド７において入力操作を受ける複数の位置に対して、それぞれ実行すべき機能の割り当てを変更する。【選択図】      図１
2006350814.tif 000002
【特許請求の範囲】
【請求項１】
複数の位置において入力操作を受け付ける入力手段が設けられた筐体を有する携帯端末装置であって、
前記入力手段において入力操作を受ける複数の位置に対して、それぞれ実行すべき機能を割り当てる機能割り当て手段と、
前記筐体の姿勢を検知する姿勢検知手段と、
前記姿勢検知手段により検知される前記筐体の姿勢に応じて、前記機能割り当て手段により複数の位置に対して割り当てる機能を変更させる機能制御手段と
を具備したことを特徴とする携帯端末装置。
【請求項２】
前記機能制御手段は、前記姿勢検知手段により前記筐体の姿勢の変化が検知されてから一定時間が経過した後に機能を変更させることを特徴とする請求項１記載の携帯端末装置。
【請求項３】
第１及び第２の入力手段が設けられた第１の筐体と第２の筐体とを接続機構により接続し、前記接続機構により、前記第１及び第２の入力手段が露出されて操作可能な第１の状態と、前記第１の筐体と前記第２筐体とを重ね合わせて前記第２の入力手段のみが露出されて操作可能な第２の状態とに選択的に設定可能な携帯端末装置であって、
前記第１の状態と前記第２の状態の何れの状態にあるかを検知する状態検知手段と、
前記第２の入力手段において入力操作を受ける複数の位置に対して、それぞれ実行すべき機能を割り当てる機能割り当て手段と、
前記第１の筐体の姿勢を検知する姿勢検知手段と、
前記状態検知手段により前記第２の状態にあることが検知されている場合に、前記姿勢検知手段により検知される前記第１の筐体の姿勢に応じて、前記機能割り当て手段により複数の位置に対して割り当てる機能を変更させる機能制御手段と
を具備したことを特徴とする携帯端末装置。
【請求項４】
前記第２の入力手段は、二次元平面上での入力操作に応じて位置情報を入力する座標入力装置とすることを特徴とする請求項３記載の携帯端末装置。
【請求項５】
前記機能制御手段は、前記姿勢検知手段により前記第１の筐体の姿勢の変化が検知されてから一定時間が経過した後に機能を変更させることを特徴とする請求項３記載の携帯端末装置。
【請求項６】
前記第２の入力手段に対して入力操作がされているか否かを判別する操作判別手段を有し、
前記操作判別手段によって入力操作がされていると判別されている間には、前記機能制御手段による機能の変更を停止させる停止制御手段と
を具備したことを特徴とする請求項３記載の携帯端末装置。
【請求項７】
前記第２の入力手段の近傍に設けられた第１の表示手段と、
前記機能割り当て手段により複数の位置に対して割り当てられた機能を表す情報を前記第１の表示手段において表示させる機能表示制御手段と
を具備したことを特徴とする請求項３記載の携帯端末装置。
【請求項８】
前記機能表示制御手段は、前記機能制御手段の制御により、前記機能割り当て手段により入力操作を受ける位置に対して割り当てられる機能が変更されるのに応じて、各位置に対応する機能を表す情報の表示位置を変更することを特徴とする請求項７記載の携帯端末装置。
【請求項９】
前記第１の筐体に設けられた画像を撮像する撮像手段と、
前記撮像手段により撮像された画像を記憶する画像記憶手段と、
前記第１の筐体に設けられた第２の表示手段と、
前記画像記憶手段に記憶された画像と関連づけて、同画像が撮像された時の前記姿勢検知手段により検知された姿勢を示す姿勢情報を記憶する姿勢情報記憶手段と、
前記姿勢検知手段により検知される姿勢と、前記画像記憶手段に記憶された表示対象とする画像と関連づけられた前記姿勢情報とに応じて画像の向きを変換する画像変換手段と、
前記画像変換手段により画像向きが変換された画像を前記第２の表示手段において表示させる画像表示制御手段と
を具備したことを特徴とする請求項３記載の携帯端末装置。
【発明の詳細な説明】
【技術分野】
【０００１】
本発明は、例えば携帯電話機やＰＤＡ（Personal Digital Assistant）等の携帯端末装置に関する。
【背景技術】
【０００２】
従来、携帯電話機に代表される携帯端末装置において、端末の向き（姿勢）を変更した場合に、その向きに合わせて複数のキーの配列を変更する構成が考えられている（例えば、特許文献１参照）。特許文献１に記載された携帯端末装置では、縦向きとして使用する場合の縦向きマトリクスと、横向きで使用する場合の横向きマトリクスを保持し、姿勢検出部で横向きの姿勢であると検知された場合に、横向きマトリクスを読み出して、数字キー１から数字キー９の配列を縦向きで使用した場合と同じ配列を維持するように制御される。
【０００３】
また、表示装置付きの携帯端末において、端末本体の姿勢に応じて、表示装置に表示する情報の配列方向を変更する構成も考えられている（例えば、特許文献２参照）。
【特許文献１】特開２００５−１２４９３公報
【特許文献２】特開２０００−３３２８６６公報
【発明の開示】
【発明が解決しようとする課題】
【０００４】
このように従来では、特許文献１に記載された携帯端末装置であれば、端末本体の姿勢が変更されるのに合わせて、その姿勢に応じて数字キーの配列を変更することができるため、端末が何れの方向に向けて使用しても同じ操作性を得ることができる。しかしながら、従来では、センサによって姿勢の変更が検知された場合に自動的にキー配列が変更されてしまうため、ユーザがキー配列の変更を必要としない状況でも変更されてしまうことがあり、かえって操作性を低下させてしまう場合があった。
【０００５】
また、端末の姿勢が変更されるのに応じて、自動的にキー配列が変更されないようにするためには、別途、縦向きで使用するか、あるいは横向きで使用するかを指示できるようにする必要がある。この場合、キー配列を変更させるたびに、キー配列を変更する指示を入力しなければならず操作負担が増大してしまう。
【０００６】
この発明は上記事情に着目してなされたもので、その目的とするところは、操作負担を増大させることなく、入力操作の対象とする入力装置について、端末の姿勢方向が何れであっても同一の操作性を提供することが可能な携帯端末装置を提供することにある。
【課題を解決するための手段】
【０００７】
上記目的を達成するためにこの発明は、第１及び第２の入力手段が設けられた第１の筐体と第２の筐体とを接続機構により接続し、前記接続機構により、前記第１及び第２の入力手段が露出されて操作可能な第１の状態と、前記第１の筐体と前記第２筐体とを重ね合わせて前記第２の入力手段のみが露出されて操作可能な第２の状態とに選択的に設定可能な携帯端末装置であって、前記第１の状態と前記第２の状態の何れの状態にあるかを検知する状態検知手段と、前記第２の入力手段において入力操作を受ける複数の位置に対して、それぞれ実行すべき機能を割り当てる機能割り当て手段と、前記第１の筐体の姿勢を検知する姿勢検知手段と、前記状態検知手段により前記第２の状態にあることが検知されている場合に、前記姿勢検知手段により検知される前記第１の筐体の姿勢に応じて、前記機能割り当て手段により複数の位置に対して割り当てる機能を変更させる機能制御手段とを具備したことを特徴とする。
【発明の効果】
【０００８】
この発明によれば、第１の筐体と第２の筐体とが第２の入力手段のみが露出されて操作可能な状態にある場合には、第２の入力手段からの入力操作が行われるものと判別し、第２の入力手段が設けられた第１の筐体の姿勢に応じて、入力操作を受け付ける複数の位置に対して割り当てる機能を変更させることにより、操作対象とする入力手段の指定や機能割り当ての変更などの指定するといった特別な操作をすることなく、入力操作時の端末の向きが何れの方向であっても同一の操作性を提供することが可能となる。
【発明を実施するための最良の形態】
【０００９】
以下、図面を参照して本発明の実施の形態について説明する。  
図１（ａ）〜（ｄ）は、本発明の実施形態に係わる携帯電話機の外観を示す図である。この携帯電話機は、上部筐体１と下部筐体２とをヒンジ機構３を介して開閉可能に接続したいわゆる折り畳み型の携帯端末装置である。なお、以後上部筐体１及び下部筐体２をシェルと呼称する。
【００１０】
図１（ｃ）に示す第１のシェル１の前面には、入力デバイス（機能キー４、ダイヤルキー６）、サブディスプレイ５ｂ、タッチパッド７、マイクロホン用の孔部８が設けられている。機能キー４は、特定の機能が割り当てられている複数のキー、例えば選択キー、発信キー、終了キー、スケジュールキー、クリアキー、及びカーソルキーを含んでいる。図１（ｂ１）（ｃ）に示す例では、サブディスプレイ５ｂとタッチパッド７は、第１のシェル１の端部近傍に設けられている。タッチパッド７は、二次元平面上での入力操作に応じて位置情報を入力する座標入力装置である。タッチパッド７は、サブディスプレイ５ｂの周辺に取り囲むように構成されている。なお、サブディスプレイ５ｂとタッチパッド７とを重ね合わせた構成とし、サブディスプレイ５ｂにおいて表示された情報を直接的に選択する入力操作を可能とすることもできる。なお、図１（ｂ２）に示すように、サブディスプレイ５ｂは、第２のシェル２の背面に設け、タッチパッド７のみを第１のシェル１の前面の端部近傍に設ける構成とすることもできる。また、第１のシェル１の背面には、図１（ｄ）に示すように、カメラユニット３０が設けられている。
【００１１】
第２のシェル２には、その前面にメインディスプレイ５ａとスピーカ用の孔部９が設けられている。
【００１２】
メインディスプレイ５ａ及びサブディスプレイ５ｂはいずれも液晶（ＬＣＤ（Liquid Crystal Display）パネルの裏面側にバックライトを配置したもので、メインディスプレイ５ａは電話帳データ、カメラ画像データ、メールデータ、ピクト情報等の全ての表示対象データを表示するために使用され、サブディスプレイ５ｂは主としてピクト情報、カメラ画像データを表示するために使用される。ピクト情報としては、タッチパッド７に対する入力操作によって実行される機能を表す情報などがある。
【００１３】
ヒンジ機構３は、第１のシェル１と第２のシェル２とを回動可能となるように接続するための機能である。ヒンジ機構３は、図１（ｃ）に示すように、第１のシェル１に設けられた入力デバイス（機能キー４、ダイヤルキー６）（第１の入力手段）とタッチパッド７（第２の入力手段）の両方が露出されて操作可能な開状態（第１の状態）と、図１（ｂ１）に示すように、第１のシェル１と第２のシェル２とを重ね合わせてタッチパッド７のみが露出された操作可能な閉状態（第２の状態）とに選択的に設定可能に構成されている。
【００１４】
また、第１のシェル１には、重力センサ１０ａが設けられている。重力センサ１０ａは、鉛直線に対する傾き・方向を検知するように設けられたもので、傾き・方向を示す検出信号を制御ユニット２３（姿勢判定ユニット２３ａ）に出力する。重力センサ１０ａからの検出信号に基づいて、第１のシェル１の姿勢が判定される。また、第１のシェル１には、開閉検知センサ１０ｂが設けられている。開閉検知センサ１０ｂは、第１のシェル１と第２のシェル２との状態、すなわち開状態にあるか閉状態にあるかを検知して、何れの状態にあるかを示す開閉状態信号を制御ユニット２３に出力する。開閉検知センサ１０ｂは、例えばヒンジ機構３の状態を検知する機械的なセンサにより構成しても良いし、第２のシェル２に設けられた磁性体が一定の距離内で接近したことを検知する磁気センサにより構成するようにしても良い。
【００１５】
次に、携帯電話機の回路構成について説明する。図２は、携帯電話機の回路構成を示すブロック図である。  
図示しない基地局から送信された無線信号は、アンテナ１１で受信されたのちアンテナ共用器（ＤＵＰ）１２を介して受信回路（ＲＸ）１３に入力される。受信回路１３は、受信された無線信号を周波数シンセサイザ（ＳＹＮ）１４から出力された局部発振信号とミキシングして中間周波信号に周波数変換（ダウンコンバート）する。そして、このダウンコンバートされた中間周波信号を直交復調して受信ベースバンド信号を出力する。なお、周波数シンセサイザ１４から発生される局部発振信号の周波数は、制御ユニット２３から出力される制御信号ＳＹＣによって指示される。
【００１６】
受信ベースバンド信号はＣＤＭＡ信号処理ユニット１６に入力される。ＣＤＭＡ信号処理ユニット１６はＲＡＫＥ受信機を備える。ＲＡＫＥ受信機では、受信ベースバンド信号に含まれる複数のパスがそれぞれ拡散符号により逆拡散処理される。そして、この逆拡散処理された各パスの信号が位相を調停されたのち合成される。かくして、所定の伝送フォーマットの受信パケットデータが得られる。この受信パケットデータは圧縮伸長処理ユニット（以後コンパンダと称する）１７に入力される。
【００１７】
コンパンダ１７は、ＣＤＭＡ信号処理ユニット１６から出力された受信パケットデータを多重分離部によりメディアごとに分離する。そして、この分離されたメディアごとのデータに対しそれぞれ復号処理を行う。例えば、通話モードにおいては、受信パケットデータに含まれている通話音声などのオーディオデータをスピーチコーデックにより復号する。またテレビジョン電話モードのように、受信パケットデータにビデオデータが含まれていれば、このビデオデータをビデオコーデックにより復号する。
【００１８】
復号処理により得られたデジタルオーディオ信号はＰＣＭ符号処理ユニット（以後ＰＣＭコーデックと称する）１８に供給される。ＰＣＭコーデック１８は、コンパンダ７から出力されたデジタルオーディオ信号をＰＣＭ復号してアナログオーディオ信号を出力する。このアナログオーディオ信号は、受話増幅器１９にて増幅されたのちスピーカ２０あるいはヘッドホン（図示せず）より出力される。
【００１９】
なお、音楽再生機能（後述する）が設定されている場合には、制御ユニット２３は記憶ユニット２４から該当するオーディオコンテンツを読み出し、このオーディオコンテンツを復号処理したのちＰＣＭコーデック１８及び受話増幅器１９を介してスピーカ２０（ヘッドホン）から拡声出力する。
【００２０】
コンパンダ１７により復号されたデジタルビデオ信号は、制御ユニット２３に入力される。制御ユニット２３は、コンパンダ１７から出力されたデジタルビデオ信号をビデオＲＡＭに記憶することで、このビデオＲＡＭを介してメインディスプレイ５ａに画像を表示させる。なお、制御ユニット２３は、受信されたビデオデータばかりでなく、カメラユニット３０により撮像された画像のビデオデータをビデオＲＡＭに記憶することで、メインディスプレイ５ａに撮像された画像を表示する。
【００２１】
またコンパンダ１７は、受信パケットが電子メールの場合には、この電子メールを制御ユニット２３に供給する。制御ユニット２３は、電子メールを記憶ユニット２４に保存する。そして、入力デバイス５においてユーザが行った表示操作に応じて、記憶ユニット２４から電子メールを読み出し、この電子メールをメインディスプレイ５ａに表示する。
【００２２】
なお、サブディスプレイ５ｂには、装置の動作モードを表す情報や、着信の報知情報、バッテリ２５の残量又は充電状態を表す情報が表示される。また、サブディスプレイ５ｂは、後述するカメラユニット３０（カメラ処理ユニット２３ｂ）が起動されている場合には、カメラユニット３０により撮影される画像を表示するファインダとして使用される。
【００２３】
一方、通話モードにおいて、マイクロホン２１に入力された話者の音声信号は、送話増幅器２２により適正レベルまで増幅されたのち、ＰＣＭコーデック１８によりＰＣＭ符号化処理が施されてデジタルオーディオ信号となり、コンパンダ１７に入力される。また、図示しないカメラから出力されるビデオ信号は、制御ユニット２３によりデジタル化されてコンパンダ１７に入力される。なお、制御ユニット２３において作成された電子メールも、制御ユニット２３からコンパンダ１７に入力される。
【００２４】
コンパンダ１７は、ＰＣＭコーデック１８から出力されたデジタルオーディオ信号より入力音声のエネルギ量を検出し、この検出結果に基づいて送信データレートを決定する。そして、デジタルオーディオ信号を送信データレートに応じたフォーマットの信号に符号化し、これによりオーディオデータを生成する。また、制御ユニット２３から出力されたデジタルビデオ信号を符号化してビデオデータを生成する。そして、これらのオーディオデータ及びビデオデータを多重分離部で所定の伝送フォーマットに従いパケット化し、この送信パケットデータをＣＤＭＡ信号処理ユニット１６へ出力する。なお、制御ユニット２３から電子メールが出力された場合にも、この電子メールを送信パケットデータに多重化する。
【００２５】
ＣＤＭＡ信号処理ユニット１６は、コンパンダ１７から出力された送信パケットデータに対し、送信チャネルに割り当てられた拡散符号を用いてスペクトラム拡散処理を施す。そして、その出力信号を送信回路（ＴＸ）１５へ出力する。送信回路１５は、スペクトラム拡散された信号をＱＰＳＫ（Quadrature Phase Shift Keying）方式等のデジタル変調方式を使用して変調する。そして、この変調により生成された送信信号を、周波数シンセサイザ１４から発生される局部発振信号と合成して無線信号に周波数変換する。そして、制御ユニット２３により指示される送信電力レベルとなるように無線信号を高周波増幅する。この増幅された無線信号は、アンテナ共用器１２を介してアンテナ１１に供給され、このアンテナ１１から基地局へ向けて送信される。
【００２６】
さらに、この実施形態の携帯電話機は外部メモリインタフェース２７を備えている。この外部メモリインタフェース２７は、メモリカード２８を着脱することが可能なスロットを備える。外部メモリインタフェース２７は、制御ユニット２３の制御のもとで、スロットに挿着されたメモリカード２８から例えば映像（画像）コンテンツデータ、オーディオコンテンツデータなどを読み出す。制御ユニット２３は読み出された映像コンテンツデータを復号再生してメインディスプレイ５ａに表示させ、またオーディオコンテンツを復号再生してスピーカ２０（ヘッドホン）から出力させる。
【００２７】
なお、電源回路２６は、バッテリ２５の出力をもとに所定の動作電源電圧Ｖccを生成して各回路部に供給する。バッテリ２５は図示しない充電回路により充電される。また記憶ユニット２４は、例えばＥＥＰＲＯＭ又はハードディスクを記憶媒体として使用したものである。
【００２８】
また、本実施形態における携帯電話機はカメラユニット３０を備えている。カメラユニット３０は、撮影モードにおいて、第１のシェル１と第２のシェル２とが閉状態で使用されている場合では、例えばタッチパッド７にシャッタ機能が割り当てられた位置に対する入力操作に応じて、あるいは開状態で使用されている場合では、選択キーに対する入力操作に応じて画像の撮像を実行する。カメラユニット３０により撮像された画像データは、制御ユニット２３（カメラ処理ユニット２３ｂ）に出力されて、メモリカード２８あるいは記憶ユニット２４に記録される。
【００２９】
ところで、制御ユニット２３は例えばマイクロコンピュータ（ＣＰＵ；Central Processing Unit）を備えたもので、本発明に係わる制御機能として、姿勢判定ユニット２３ａ、カメラ処理ユニット２３ｂ、音楽再生ユニット２３ｃ、サブディスプレイ表示制御ユニット２３ｄ、タブレット制御ユニット２３ｅとを有している。なお、これらの機能はいずれもプログラムをマイクロコンピュータに実行させることにより実現される。
【００３０】
姿勢判定ユニット２３ａは、重力センサ１０ａから出力される検出信号をもとに、第１のシェル１の姿勢を判定する。本実施形態では、説明を簡単にするために、図１（ｂ１）に示すような、タッチパッド７が下部にある正方向と、タッチパッド７が上部にある逆方向の２つの姿勢方向を検知するものとして説明する。
【００３１】
カメラ処理ユニット２３ｂは、カメラユニット３０を制御してカメラ機能を実現するもので、入力デバイス（機能キー４、ダイヤルキー６）、あるいはタッチパッド７に対する入力操作に応じて撮像動作を制御する。カメラ処理ユニット２３ｂは、カメラユニット３０により撮像された画像の画像データを記憶ユニット２４、あるいは外部メモリインタフェース２７を介してメモリカード２８に記憶させる。なお、カメラ処理ユニット２３ｂは、カメラユニット３０により静止画像を撮像するだけでなく動画像を撮影することもできる。
【００３２】
音楽再生ユニット２３ｃは、音楽再生機能を実現するためのもので、入力デバイス（機能キー４、ダイヤルキー６）、あるいはタッチパッド７に対する入力操作に応じて、例えば記憶ユニット２４あるいはメモリカード２８に記憶されたオーディオコンテンツを読み出して復号処理を実行し、ＰＣＭコーデック１８及び受話増幅器１９を介してスピーカ２０（ヘッドホン）から拡声出力させるための処理を実行する。
【００３３】
サブディスプレイ表示制御ユニット２３ｄは、サブディスプレイ５ｂにおける表示制御を行うもので、実行中の機能に応じた各種の情報を表示させる。サブディスプレイ表示制御ユニット２３ｄは、タブレット制御ユニット２３ｅによってタッチパッド７の入力操作を受ける複数の位置に対して、それぞれ割り当てられた機能を表す情報や電波状況、電池残量などのピクト情報などを表示させる。また、入力操作を受ける位置に対して割り当てられる機能が変更されるのに応じて、各位置に対応する機能を表す情報の表示位置も連動するように変更する。
【００３４】
タブレット制御ユニット２３ｅは、タッチパッド７からの入力を制御するもので、タッチパッド７の入力面に対して、ユーザが指先やペン先などを使って圧接した位置の座標情報を入力して入力操作を検知する。タブレット制御ユニット２３ｅは、実行される各種機能に応じて、入力操作を受ける複数の位置に対して、それぞれ実行すべき機能を割り当てる。タブレット制御ユニット２３ｅは、開閉検知センサ１０ｂからの開閉状態信号により第１のシェル１と第２のシェル２とが重ね合わされた閉状態にあることが検知されている場合に、姿勢判定ユニット２３ａにより検知される第１のシェル１の姿勢に応じて、タッチパッド７の複数の位置に対して割り当てる機能の位置を変更させる。すなわち、第１のシェル１が正方向と逆方向の何れの状態にある場合でも、同一の機能についてはタッチパッド７上の相対的位置が同じとなるように機能を割り当てることで、同一の操作性が得られるようにする。
【００３５】
また、タブレット制御ユニット２３ｅは、姿勢判定ユニット２３ａによって第１のシェル１の姿勢の変化が検知された場合に、一定時間が経過した後に機能を変更させることで、一時的な姿勢の変化により操作性が変更されないように制御する。さらに、タブレット制御ユニット２３ｅは、タッチパッド７に対して入力操作がされているか否かを判別し、入力操作がされていると判別されている間には、第１のシェル１の姿勢が変化したとしても、タッチパッド７の各位置に割り当てる機能の変更を停止し、入力操作が終了した時点で機能の変更を実行するように制御を行う。
【００３６】
次に、タッチパッド７に対して入力操作が行われる領域について説明する。図３は、サブディスプレイ５ｂとタッチパッド７を拡大して示す図である。図３（図１（ｂ１）（ｃ））は、サブディスプレイ５ｂはタッチパッド７の近傍に設けられる構成を示すもので、例えばサブディスプレイ５ｂの周辺部にタッチパッド７が設けられた構成を示している。
【００３７】
例えば、音楽再生機能が実行される場合、サブディスプレイ５ｂにはオーディオコンテンツの再生状態や、再生中のオーディオコンテンツの曲名などを表示している。また、音楽再生機能が実行される場合、タッチパッド７の複数の位置のそれぞれに対して、音楽再生動作を制御するための機能が割り当てられる。
【００３８】
図３に示す例では、タッチパッド７の上部に設けられる操作領域（Ａ）において、左側に音量調節の下げる機能、右側に音量調節の上げる機能、中央部に再生を停止させる機能がそれぞれ割り当てられる。また、タッチパッド７の下部に設けられる操作領域（Ｂ）において、左側に巻き戻し機能、右側に早送り機能、中央部に再生／一時停止の機能が割り当てられている。
【００３９】
ユーザは、機能が割り当てられた位置（領域）に対して入力操作（圧接）することで、該当位置の機能の実行を指示することができる。
【００４０】
なお、操作領域（Ａ）は、第１のシェル１の姿勢が正方向あるいは逆方向の何れの場合もタッチパッド７の上部に位置する領域であり、同じく、操作領域（Ｂ）は下部に位置する領域とする。
【００４１】
図４は、操作領域に対して割り当てられる機能に応じて、サブディスプレイ５ｂに各機能を示す情報（マーク）を表示する例を示している。図４に示すように、サブディスプレイ５ｂに表示される各機能を示す情報は、操作領域（Ａ）及び操作領域（Ｂ）の各位置に割り当てられた機能の配置と相対的に同じにしている。従って、サブディスプレイ５ｂに表示された情報を参照することで、タッチパッド７の各位置に何れの機能が割り当てられているかを容易に判別することができる。
【００４２】
なお、タッチパッド７による入力領域とサブディスプレイ５ｂの表示領域のサイズをほぼ同一とし、両者を重ね合わせた構成とすることで、タッチパッド７に機能が割り当てられた位置に同機能を表す情報（マーク）を表示させることができる。この場合、サブディスプレイ５ｂに表示されたマークを直接的に指示する入力操作をすることで、そのマークに対応する機能の実行を指示することができる。サブディスプレイ５ｂに表示された情報は、タッチパッド７に対して割り当てられる機能の位置が変更された場合に、その変更に合わせて表示位置が変更される。
【００４３】
また、サブディスプレイ５ｂについては、図３の例と図４の例との２つを例示したが、これに限定されるものではない。例えば、サブディスプレイ５ｂの表示は、図３に示した再生状態や曲名を表示することに加えて、図４に示した操作領域に対して割り当てられる機能に応じた各機能を示す情報（マーク）を表示してもよい。また、図３の表示と、図４の表示とを一定時間ごとに交互に表示してもよい。
【００４４】
図５（ａ）（ｃ）は、操作領域に割り当てられる機能を管理するための領域管理テーブルの一例を示している。制御ユニット２３（タブレット制御ユニット２３ｅ）は、タッチパッド７の各位置（領域）に対して割り当てた機能を、各領域と対応付けて領域管理テーブルに記録することにより管理する。図５（ａ）（ｃ）に示す例では、各領域をＡ〜Ｆにより表している。
【００４５】
図５（ｂ）は、第１のシェル１の姿勢方向が正方向の場合を示すもので、各領域Ａ〜Ｆに対して、図５（ａ）に示す領域管理テーブルのように機能が割り当てられている。図５（ｄ）は、第１のシェル１の姿勢方向が逆方向の場合を示すもので、各領域Ａ〜Ｆに対して、図５（ｃ）に示す領域管理テーブルのように機能が割り当てられている。図５（ｄ）に示すように、第１のシェル１の姿勢方向が逆方向となることにより、操作領域（Ａ）には領域Ｆ，Ｅ，Ｄが位置し、操作領域（Ｂ）には領域Ｃ，Ｂ，Ａが位置することになる。従って、姿勢方向が正方向と逆方向の何れの場合でも同じ操作性を提供するために、例えば正方向時に領域Ａに割り当てられていた機能（例えば音量調節の「−」）を、図５（ｃ）に示すように、逆方向時の領域Ｆに割り当てるようにする。
【００４６】
なお、領域Ａ〜Ｆは、例えばタッチパッド７上の２点により定義される矩形により、それぞれの範囲が決められるものとする。
【００４７】
図６は、本実施形態における携帯電話機において、重力センサ１０ａを用いて検出できる姿勢の向きを示す図である。
【００４８】
重力センサ１０ａは、図６中のＺ軸方向（鉛直線）に対する傾き・方向を検出して、検出信号を制御ユニット２３（姿勢判定ユニット２３ａ）に出力する。姿勢判定ユニット２３ａは、重力センサ１０ａからの検出信号により、例えばＺ軸に対する傾きが、予め設定されている基準角度である９０°（すなわち水平方向）以上の変化があったかを判定し、これにより第１のシェル１の姿勢方向が正方向、あるいは逆方向の何れの状態にあるかを検知する。なお、姿勢判定ユニット２３ａが姿勢判定のために用いる基準角度は９０°以外であっても良い。また、正方向から逆方向への変化を判定する基準角度と逆方向から正方向への変化を判定する基準角度とがとなっていても良い。
【００４９】
次に、本実施形態における携帯電話機の動作について説明する。  
図７は、制御ユニット２３による姿勢検知処理を説明するためのフローチャートである。
【００５０】
第１実施形態における携帯電話機は、第１のシェル１と第２のシェル２の状態、すなわちシェル開閉状態に関係なく、タッチパッド７に対するユーザによる入力操作、及びサブディスプレイ５ｂによる情報表示が可能となっているものとする。また、ここでは、音楽再生ユニット２３ｃ（音楽再生アプリケーション）により、音楽再生機能が実行される場合を例にして説明する。音楽再生ユニット２３ｃは、シェル開閉状態に関係なく実行することができる。
【００５１】
制御ユニット２３は、機能キー４、あるいはタッチパッド７に設定されたボタン（図示せず）に対する操作により音楽再生機能の実行が指示されると、記憶ユニット２４からオーディオコンテンツを読み出す。音楽再生ユニット２３ｃは、
オーディオコンテンツに対する復号処理を実行し、ＰＣＭコーデック１８及び受話増幅器１９を介してスピーカ２０あるいはヘッドホン（図示せず）から拡声出力させる。
【００５２】
通常、音楽再生機能のみを使用する場合には、第１のシェル１と第２のシェル２とを重ね合わせたシェル閉状態で使用される。音楽再生ユニット２３ｃは、サブディスプレイ表示制御ユニット２３ｄにより、音楽再生機能の実行に伴って再生状態や曲名などをサブディスプレイ５ｂにおいて表示させる。
【００５３】
また、音楽再生機能を実行する場合、音楽再生ユニット２３ｃは、タッチパッド７を通じて音楽再生動作を制御するための入力操作を受け付けられるように、タブレット制御ユニット２３ｅによりタッチパッド７の各位置に対して機能の割り当てを実行させる。例えば、携帯電話機（第１のシェル１）の姿勢方向が正方向にある場合、図５（ａ）に示す領域管理テーブルを設定して、タッチパッド７上の各領域Ａ〜Ｆのそれぞれに対して、再生／一時停止／早送り／巻き戻し／音量調節などの機能を割り当てるものとする。
【００５４】
ここで、ユーザは、携帯電話機を任意の姿勢方向で持って、入力操作をすることができる。
【００５５】
姿勢判定ユニット２３ａは、重力センサ１０ａからの検出信号により、第１のシェル１の姿勢方向が変化したことを検知すると（ステップＡ１）、この時点からの経過時間の計測を開始して、その経過時間を記憶する（ステップＡ２）。
【００５６】
ここで、予め設定された一定時間が経過することなく、再度、第１のシェル１の姿勢が変化したことを検知すると（ステップＡ３，Ａ４）、それまで計測していた経過時間をリセットする（ステップＡ５）。
【００５７】
すなわち、携帯電話機の姿勢方向が変更されたとしても、瞬間的に変更されただけであり、再度、元の姿勢方向の状態で使用される場合には、タッチパッド７の各位置に割り当てる機能の変更、及びサブディスプレイ５ｂにおける表示方向の変更が不要であると判別する。
【００５８】
なお、予め設定される一定時間は、姿勢方向が変更された後、その状態が継続されると想定される適当な時間、例えば１秒程度とする。なお、この一定時間は、ユーザからの指示により任意に変更できるようにしても良い。
【００５９】
一方、姿勢変化が検出されてから一定時間が経過したと判別されると、姿勢判定ユニット２３ａは、サブディスプレイ表示制御ユニット２３ｄに対してサブディスプレイ５ｂにおける表示方向を変更させる。本実施形態では、携帯電話機（第１のシェル１）の姿勢方向として正方向と逆方向の２方向で検知するとしているので、表示画面を反転させる（ステップＡ６）。
【００６０】
また、姿勢判定ユニット２３ａは、第１のシェル１の姿勢方向が正方向と逆方向の何れであるかを示す姿勢情報を記憶しておく（ステップＡ７）。
【００６１】
タブレット制御ユニット２３ｅは、姿勢判定ユニット２３ａにより記憶された姿勢情報に対応して、領域管理テーブルを設定し、タッチパッド７の各位置に対して姿勢方向に応じて機能を割り当てる（ステップＡ８）。
【００６２】
次に、タッチパッド７に対する入力操作を検知するためのタッチパッド操作検知処理について、図８に示すフローチャートを参照しながら説明する。
【００６３】
タッチパッド７の各位置に対しては、姿勢検知処理により検知された姿勢方向に応じて各種機能が割り当てられている。ここで、タッチパッド７の入力面上に対して、ユーザが指先あるいはペン先などにより圧接すると、その圧接された位置の座標情報が入力される。
【００６４】
タブレット制御ユニット２３ｅは、タッチパッド７から入力される座標情報から入力操作があったことを検知する（ステップＢ１）。そして、入力された座標情報がタッチパッド７の機能が割り当てられた何れの領域に含まれるかを判別する（ステップＢ２）。
【００６５】
タブレット制御ユニット２３ｅは、何れの領域（位置）に対して入力操作があったかを判別すると、その該当する領域に対して割り当てられている機能を、姿勢情報に応じて設定された領域管理テーブルを参照して判別する（ステップＢ３）。
【００６６】
例えば、携帯電話機（第１のシェル１）の姿勢方向が正方向にある場合、タッチパッド７の左上の領域（領域Ａ）に対して入力操作があると、図５（ａ）（ｂ）に示すように、領域Ａに対して音量を下げる機能が割り当てられていることが判別される。同様にして、タッチパッド７の右上の領域（領域Ｃ）に対して入力操作があると、領域Ｃに対して音量を上げる機能が割り当てられていることが判別される。
【００６７】
音楽再生ユニット２３ｃは、タブレット制御ユニット２３ｅにより判別された、入力操作により指示された機能を実行する（ステップＢ４）。
【００６８】
図９には、携帯電話機（第１のシェル１）の姿勢方向が正方向と逆方向の場合におけるタッチパッド７とサブディスプレイ５ｂの状態を示している。図９（ａ）に示すように、姿勢方向が正方向にある場合に操作領域（Ａ）及び操作領域（Ｂ）のそれぞれに割り当てられていた機能は、図９（ｃ）に示すように、姿勢方向が逆方向に変更された場合においても、操作領域（Ａ）及び操作領域（Ｂ）のそれぞれにおいて同一の機能が割り当てられる。
【００６９】
このようにして、携帯電話機の姿勢方向が変更されてから一定時間経過した場合には、その変更された姿勢方向で使用されるものとして、タッチパッド７の各位置に割り当てる機能の位置を正方向と逆方向の場合で同じとなるように変更することで、姿勢方向に関係なくタッチパッド７に対して同様の操作性を提供することができる。
【００７０】
前述した説明では、第１のシェル１の姿勢方向が変更された場合、一定時間が経過することで、タッチパッド７の各領域に対して割り当てられる機能とサブディスプレイ５ｂにおける表示方向を変更しているが、姿勢方向の変更に連動して、これらを変更しない場合について、図１０に示すフローチャートを参照しながら説明する。
【００７１】
図１０は、姿勢／タッチパッド操作検出処理のフローチャートを示している。
【００７２】
まず、姿勢判定ユニット２３ａにより、重力センサ１０ａからの検出信号をもとに第１のシェル１の姿勢方向が変化したことが検知されると（ステップＣ１）、制御ユニット２３は、開閉検知センサ１０ｂからの開閉状態信号をもとにして、第１のシェル１と第２のシェル２とが重ね合わされた閉状態にあるかを判別する（ステップＣ２）。ここで、第１のシェル１と第２のシェル２とが開状態にある場合（ステップＣ２、Ｎｏ）、すなわち第１のシェル１の前面に設けられた機能キー４やダイヤルキー６が露出され、これらのキーに対する入力操作が可能な状態にある場合には、これらのキーに対する入力操作をユーザが意図しているものと判定する。この場合、タブレット制御ユニット２３ｅは、タッチパッド７の各位置に対する機能の割り当ての変更を行わない。
【００７３】
一方、姿勢方向の変化が検知され、第１のシェル１と第２のシェル２とが閉状態にある場合（ステップＣ２、Ｙｅｓ）、タブレット制御ユニット２３ｅは、タッチパッド７からの座標情報の有無に基づいて、タッチパッド７に対する入力操作がされている状態にあるかを検知する（ステップＣ３）。すなわち、携帯電話機のタッチパッド７に対して入力操作をしながら携帯電話機の姿勢方向が変更されている状態であるかを判別する。
【００７４】
ここで、タッチパッド７に対する入力操作がされていない場合には（ステップＣ３、Ｎｏ）、制御ユニット２３は、サブディスプレイ表示制御ユニット２３ｄに対してサブディスプレイ５ｂにおける表示方向を変更させる。本実施形態では、携帯電話機（第１のシェル１）の姿勢方向として正方向と逆方向の２方向で検知するとしているので、表示画面を反転させる（ステップＣ８）。
【００７５】
また、姿勢判定ユニット２３ａは、第１のシェル１の姿勢方向が正方向と逆方向の何れであるかを示す姿勢情報を記憶しておく（ステップＣ９）。
【００７６】
タブレット制御ユニット２３ｅは、姿勢判定ユニット２３ａにより記憶された姿勢情報に対応して、領域管理テーブルを設定し、タッチパッド７の各位置に対して姿勢方向に応じて機能を割り当てる（ステップＣ１０）。
【００７７】
一方、姿勢方向の変化が検知された時に、タッチパッド７に対する入力操作がされている場合には（ステップＣ３、Ｙｅｓ）、タブレット制御ユニット２３ｅは、タッチパッド７から入力された座標情報がタッチパッド７の機能が割り当てられた何れの領域に含まれるかを判別する（ステップＣ４）。
【００７８】
タブレット制御ユニット２３ｅは、何れの領域（位置）に対して入力操作があったかを判別すると、その該当する領域に対して割り当てられている機能を、
姿勢情報に応じて設定された領域管理テーブルを参照して判別する（ステップＣ５）。なお、ここで参照される領域管理テーブルは、姿勢方向が変更される前に設定された領域管理テーブルである。
【００７９】
音楽再生ユニット２３ｃは、タブレット制御ユニット２３ｅにより判別された、入力操作により指示された機能を実行する（ステップＣ６）。音楽再生ユニット２３ｃは、タッチパッド７に対する入力操作が継続されている場合、例えば音量をあげる、あるいは音量を下げるために、この機能が割り当てられた位置（領域）がユーザにより押され続けている場合には、この押されている位置の機能に応じた処理を実行することになる（ステップＣ３〜Ｃ７）。
【００８０】
そして、タッチパッド７に対する入力操作が終了したことがタブレット制御ユニット２３ｅにより検知されると（ステップＣ３、Ｎｏ）、制御ユニット２３は、サブディスプレイ表示制御ユニット２３ｄに対してサブディスプレイ５ｂにおける表示方向を変更させる。
【００８１】
また、姿勢判定ユニット２３ａは、第１のシェル１の姿勢方向が正方向と逆方向の何れであるかを示す姿勢情報を記憶しておく（ステップＣ９）。
【００８２】
タブレット制御ユニット２３ｅは、姿勢判定ユニット２３ａにより記憶された姿勢情報に対応して、領域管理テーブルを設定し、タッチパッド７の各位置に対して姿勢方向に応じて機能を割り当てる（ステップＣ１０）。
【００８３】
図１１には、携帯電話機（第１のシェル１）の姿勢方向が正方向から逆方向に変更される場合のタッチパッド７とサブディスプレイ５ｂの状態を示している。
【００８４】
図１１（ａ）に示すように、携帯電話機の姿勢方向が正方向にある時に操作領域（Ａ）に対する入力操作がされているものとする。ここで、図１１（ｃ）に示すように、入力操作中に携帯電話機が回転されて姿勢方向が変化した場合、図１１（ｄ）に示すように、操作領域（Ａ）（Ｂ）に割り当てられた機能は変更されない。そして、タッチパッド７に対して入力操作が終了すると、図１１（ｆ）に示すように、操作領域（Ａ）（Ｂ）に対して割り当てられる機能が変更され、図１１（ｂ）と同様の操作性が提供される。
【００８５】
なお、図７のフローチャートにおいて説明したように、第１のシェル１の姿勢方向の変化が検知されてから一定時間が経過した場合に、入力操作中であるか否かを判別するようにしても良い。
【００８６】
また、前述した説明では、第１のシェル１の姿勢方向が変更された場合に、タッチパッド７の各位置に割り当てる機能を変更するのと同じタイミングで、サブディスプレイ５ｂの表示方向を変更しているが、サブディスプレイ５ｂの表示方向の変更については入力操作中であっても変更するようにしても良い。すなわち、図１１（ｄ）において、操作領域（Ａ）（Ｂ）に対する機能の割り当てについては変更しないが、サブディスプレイ５ｂの表示を反転させることで、図１１（ｂ）と同様の表示画面とすることができる（上行に「再生状態」、下行に「曲名」を表示する）。
【００８７】
このようにして、第１のシェル１と第２のシェル２とが開状態にある場合には、タッチパッド７に対する入力操作が行われないものと判別し、第１のシェル１の姿勢方向が変更されたとしても、タッチパッド７の各位置に割り当てられた機能を変更しない。また、入力操作中に第１のシェル１の姿勢方向が変更された場合においても、そのまま継続して同じ入力操作ができるように、タッチパッド７の各位置に割り当てられた機能を変更せず、入力操作が終了した時点で変更する。従って、タッチパッド７と入力デバイス（機能キー４、ダイヤルキー６）の何れに対して入力操作をするか指定することなく、タッチパッド７を入力操作の対象とする場合には、第１のシェル１の姿勢方向が何れであっても同一の操作性を提供することができる。
【００８８】
次に、第１のシェル１に設けられたカメラユニット３０を用いる場合について説明する。  
図１２は、カメラユニット３０を使用する場合の姿勢／タッチパッド操作検知処理を説明するためのフローチャートである。  
まず、カメラ処理ユニット２３ｂは、入力デバイス（機能キー４、ダイヤルキー６）、あるいはタッチパッド７に対する入力操作によりカメラ機能の実行が指示されると、カメラユニット３０を起動して撮影モードに移行させる（ステップＤ１、Ｙｅｓ）。
【００８９】
撮影モード時においては、開閉検知センサ１０ｂからの信号により、第１のシェル１と第２のシェル２とが重ね合わされた閉状態にあることが検知される場合、タブレット制御ユニット２３ｅは、タッチパッド７の入力位置に対して撮影動作を制御するための機能、例えばズームアウト、ズームイン、シャッタなど複数の機能を、タッチパッド７の複数の位置に対してそれぞれ割り当てる。
【００９０】
また、カメラユニット３０は、撮影モードに移行されると、被写体の画像を入力して、その画像の画像データを制御ユニット２３に出力する。カメラ処理ユニット２３ｂは、カメラユニット３０の画像データをもとに、カメラファインダとして画像を表示させる。閉状態にある場合には、カメラ処理ユニット２３ｂは、サブディスプレイ５ｂをカメラファインダとして画像を表示させる。また、開状態にある場合には、メインディスプレイ５ａをカメラファインダとして画像を表示させる。
【００９１】
カメラ処理ユニット２３ｂは、開状態で使用されている場合には、選択キーに対する入力操作、閉状態で使用されている場合には、タッチパッド７にシャッタ機能が割り当てられた位置に対する入力操作に応じて、カメラユニット３０に撮像を実行させる。カメラ処理ユニット２３ｂは、カメラユニット３０により撮像された画像の画像データを入力して、メモリカード２８あるいは記憶ユニット２４に記憶させる。
【００９２】
ところで、撮影モード時において、姿勢判定ユニット２３ａにより第１のシェル１の姿勢変化が検知されると（ステップＤ２、Ｙｅｓ）、制御ユニット２３は、開閉検知センサ１０ｂからの開閉状態信号をもとにして、閉状態にあるかを判別する（ステップＤ３）。
【００９３】
ここで、閉状態にない場合（ステップＤ３、Ｎｏ）、制御ユニット２３は、カメラファインダとしてメインディスプレイ５ａが用いられ、撮影動作の制御に入力デバイス（機能キー４、ダイヤルキー６）を使用するものとして、タッチパッド７に対する機能の割り当ての変更を行わない。
【００９４】
一方、閉状態にあると検知された場合（ステップＤ３、Ｙｅｓ）、姿勢判定ユニット２３ａは、第１のシェル１の姿勢方向が正方向と逆方向の何れであるかを示す姿勢情報を記憶しておく（ステップＤ４）。
【００９５】
タブレット制御ユニット２３ｅは、姿勢判定ユニット２３ａにより記憶された姿勢情報に対応して、領域管理テーブルを設定し、タッチパッド７の各位置に対して姿勢方向に応じて機能を割り当てる（ステップＤ５）。
【００９６】
例えば、姿勢方向が正方向である場合に、タッチパッド７の左側にズームアウト、右側にズームイン、中央部にシャッタの機能が割り当てられていた場合、姿勢方向が逆方向に変更された場合も同様にして、タッチパッド７の左側にズームアウト、右側にズームイン、中央部にシャッタの機能を割り当てる。
【００９７】
ここで、タッチパッド７に対する入力操作がされた場合には（ステップＤ６、Ｙｅｓ）、タブレット制御ユニット２３ｅは、タッチパッド７から入力された座標情報がタッチパッド７の機能が割り当てられた何れの領域に含まれるかを判別する（ステップＤ７）。
【００９８】
タブレット制御ユニット２３ｅは、何れの領域（位置）に対して入力操作があったかを判別すると、その該当する領域に対して割り当てられている機能を、
姿勢情報に応じて設定された領域管理テーブルを参照して判別する（ステップＤ８）。
【００９９】
カメラ処理ユニット２３ｂは、タブレット制御ユニット２３ｅにより判別された、入力操作により指示された機能を実行する（ステップＤ９）。
【０１００】
図１３には、撮影モード時に携帯電話機（第１のシェル１）の姿勢方向が正方向から逆方向に変更される場合のタッチパッド７とサブディスプレイ５ｂの状態を示している。
【０１０１】
図１３（ｃ）（ｅ）に示すように、携帯電話機の姿勢方向が正方向、逆方向の何れの場合も被写体（図１３（ａ））の画像は、カメラファインダとしてサブディスプレイ５ｂにそのまま表示される。一方、図１３（ｃ）に示すように、姿勢方向が正方向にある場合に操作領域（Ａ）及び操作領域（Ｂ）のそれぞれに割り当てられていた機能は、図１３（ｅ）に示すように、姿勢方向が逆方向に変更された場合においても、操作領域（Ａ）及び操作領域（Ｂ）のそれぞれにおいて同一の機能が割り当てられる。
【０１０２】
なお、カメラ機能が実行されている場合においても、図１０に示すフローチャートにおいて説明したように、タッチパッド７に対する入力操作中に第１のシェル１の姿勢方向が変更された場合には、タッチパッド７の各位置に割り当てた機能を変更せず、入力操作が終了した時点で変更するようにしても良い。
【０１０３】
このようにして、姿勢方向が変更された場合にもサブディスプレイ５ｂにおける表示方向を変更せずに、タッチパッド７に割り当てる機能の位置のみを変更することもできる。
【０１０４】
なお、図１３では撮影モード時のタッチパッド７とサブディスプレイ５ｂの状態を示しているが、撮像された画像を再生表示させる場合の再生モード時には、姿勢方向が逆方向の時に撮影された画像については表示方向を変更し、タッチパッド７に割り当てる機能の位置を変更しないようにする。
【０１０５】
カメラ処理ユニット２３ｂは、姿勢方向が逆方向である場合、撮影された画像をメモリカード２８あるいは記憶ユニット２４に記憶させると共に、この記録された画像と関連づけて姿勢判定ユニット２３ａにより検知された姿勢を示す姿勢情報をメモリカード２８あるいは記憶ユニット２４に記憶しておく。
【０１０６】
図１４には、携帯電話機（第１のシェル１）の姿勢方向が逆方向にある場合の撮影モード時と再生モード時のタッチパッド７とサブディスプレイ５ｂの状態を示している。
【０１０７】
図１４（ｂ）に示すように、姿勢方向が逆方向にある場合、被写体（図１４（ａ））の画像は、カメラファインダとしてサブディスプレイ５ｂにそのまま表示される。ここで撮影された画像を再生表示する場合、カメラ処理ユニット２３ｂは、メモリカード２８あるいは記憶ユニット２４に記憶された画像データを読み出す。この時、読み出された画像データと関連づけられた姿勢情報も読み出す。
【０１０８】
カメラ処理ユニット２３ｂは、姿勢情報が逆方向で撮影された画像データであることを示す場合、画像データを上下反転する変換処理を実行して、サブディスプレイ表示制御ユニット２３ｄによりサブディスプレイ５ｂに表示させる。
【０１０９】
例えば、図１４（ｂ）に示すように、姿勢方向が逆方向の状態で撮影された画像を、そのまま逆方向の状態でサブディスプレイ５ｂに表示させた場合には、図１４（ｄ）に示すように、被写体の元の向きとは逆に表示されてしまう。これに対し、反転させて表示させることで、図１４（ｅ）に示すように、カメラファインダとして表示されていた場合と同様の方向で表示することができる。
【０１１０】
このようにして、姿勢方向が変更されない場合に、サブディスプレイ５ｂにおける表示方向を変更して、タッチパッド７に割り当てられた機能の変更をしないこともできる。
【０１１１】
なお、前述した説明では、第１のシェル１（第１の筐体）と第２のシェル２（第２の筐体）とを、ヒンジ機構３（接続機構）により折り畳み可能に構成された携帯電話機（携帯端末装置）を例にしているが、他の形態の携帯電話機に適用することができる。
【０１１２】
例えば、第１のシェル１と第２のシェル２とを互いにスライド可能とする接続機構により接続し、第１のシェル１と第２のシェル２とを重ね合わせることでタッチパッド７のみが使用可能な状態から、機能キー４やダイヤルキー６などの入力デバイスが露出されて使用可能となる状態にすることが可能な形態を対象とすることができる。
【０１１３】
また、２つのシェルにより構成された携帯電話機を対象としているが、例えば３つ以上の筐体を組み合わせた構成を対象とすることもできる。
【０１１４】
また、前述した説明では、姿勢判定ユニット２３ａにより、タッチパッド７が設けられた第１のシェル１が正方向となっている第１の姿勢状態と、逆方向となっている第２の姿勢状態の２つの状態を判定するとしているが、他の姿勢状態、右横向き、左横向きなどをさらに判定できるようにしても良い。タブレット制御ユニット２３ｅは、姿勢判定ユニット２３ａにより判定された各姿勢に応じて、タッチパッド７に対して入力操作がされる位置のそれぞれに対して、入力操作された場合に実行すべき処理（機能）の割り当てを変更する。
【０１１５】
また、携帯電話機には、カメラ処理ユニット２３ｂによるカメラ機能と、音楽再生ユニット２３ｃによる音楽再生機能が設けられている場合を例にしているが、その他の各種の機能が設けられている場合を対象とすることもできる。
【０１１６】
また、第１のシェル１の姿勢を重力センサ１０ａにより検出し、第１のシェル１の姿勢によりユーザによる操作形態を判別しているが、その他のセンサにより操作形態を検知する構成としても良い。例えば、ユーザが携帯電話機を手に保持している状態（握り方）を検知することができるように、各握り方をした時の指の配置を検出することができる圧力センサなどを設けるようにしても良い。
【０１１７】
要するに本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。さらに、異なる実施形態に亘る構成要素を適宜組み合せてもよい。
【図面の簡単な説明】
【０１１８】
【図１】本発明の実施形態に係わる携帯電話機の外観を示す図。
【図２】本実施形態における携帯電話機の回路構成を示すブロック図。
【図３】本実施形態におけるサブディスプレイ５ｂとタッチパッド７を拡大して示す図。
【図４】本実施形態における操作領域に対して割り当てられる機能に応じて、サブディスプレイ５ｂに各機能を示す情報（マーク）を表示する例を示す図。
【図５】本実施形態における操作領域に割り当てられる機能を管理するための領域管理テーブルの一例を示す図。
【図６】本実施形態における重力センサ１０ａを用いて検出できる姿勢の向きを示す図。
【図７】本実施形態における制御ユニット２３による姿勢検知処理を説明するためのフローチャート。
【図８】本実施形態におけるタッチパッド７に対する入力操作を検知するためのタッチパッド操作検知処理について説明するためのフローチャート。
【図９】本実施形態における携帯電話機（第１のシェル１）の姿勢方向が正方向と逆方向の場合におけるタッチパッド７とサブディスプレイ５ｂの状態を示す図。
【図１０】本実施形態における姿勢方向の変更に連動して、タッチパッド７の各領域に対して割り当てられる機能とサブディスプレイ５ｂにおける表示方向を変更しない場合について説明するためのフローチャート。
【図１１】本実施形態における携帯電話機（第１のシェル１）の姿勢方向が正方向から逆方向に変更される場合のタッチパッド７とサブディスプレイ５ｂの状態を示す図。
【図１２】本実施形態におけるカメラユニット３０を使用する場合の姿勢／タッチパッド操作検知処理を説明するためのフローチャート。
【図１３】本実施形態における撮影モード時に携帯電話機（第１のシェル１）の姿勢方向が正方向から逆方向に変更される場合のタッチパッド７とサブディスプレイ５ｂの状態を示す図。
【図１４】本実施形態における携帯電話機（第１のシェル１）の姿勢方向が逆方向にある場合の撮影モード時と再生モード時のタッチパッド７とサブディスプレイ５ｂの状態を示す図。
【符号の説明】
【０１１９】
１…第１の筐体（第１のシェル）、２…第２の筐体（第２のシェル）、３…ヒンジ機構、４…機能キー、５ａ…メインディスプレイ、５ｂ…サブディスプレイ、６…ダイヤルキー、７…タッチパッド、８…マイクロホン用の孔部、９…スピーカ用の孔部、１０ａ…重力センサ、１０ｂ…開閉検知センサ、１１…アンテナ、１２…アンテナ共用器（ＤＵＰ）、１３…受信回路（ＲＸ）、１４…周波数シンセサイザ（ＳＹＮ）、１５…送信回路（ＴＸ）、１６…ＣＤＭＡ信号処理ユニット、１７…圧縮伸長処理ユニット（コンパンダ）、１８…ＰＣＭ符号処理ユニット（ＰＣＭコーデック）、１９…受話増幅器、２０…スピーカ、２１…マイクロホン、２２…送話増幅器、２３…制御ユニット、２３ａ…姿勢判定ユニット、２３ｂ…カメラ処理ユニット、２３ｃ…音楽再生ユニット、２３ｄ…サブディスプレイ表示制御ユニット、２３ｅ…タブレット制御ユニット、２４…記憶ユニット、２５…バッテリ、２６…電源回路、２７…外部メモリインタフェース、２８…メモリカード、３０…カメラユニット。
【図１】
2006350814.tif 000003
【図２】
2006350814.tif 000004
【図３】
2006350814.tif 000005
【図４】
2006350814.tif 000006
【図５】
2006350814.tif 000007
【図６】
2006350814.tif 000008
【図７】
2006350814.tif 000009
【図８】
2006350814.tif 000010
【図９】
2006350814.tif 000011
【図１０】
2006350814.tif 000012
【図１１】
2006350814.tif 000013
【図１２】
2006350814.tif 000014
【図１３】
2006350814.tif 000015
【図１４】
2006350814.tif 000016